【手続補正書】
【提出日】平成20年7月23日(2008.7.23)
【手続補正１】
【補正対象書類名】特許請求の範囲
【補正対象項目名】請求項１
【補正方法】変更
【補正の内容】
【請求項１】
ネットワークを介して接続されたサーバ及び情報端末装置と、該情報端末装置と所定のインタフェースにより脱着可能に接続されたデータ送受信装置と、該データ送受信装置と所定のワイヤレス通信方式により接続されたデータ測定器とを備えた測定時間管理システムであって、
前記サーバは、
該サーバ側の時刻情報を該情報端末装置へ送信する時刻情報送信手段を備え、
前記情報端末装置は、
前記時刻情報送信手段により送信された時刻情報を前記データ送受信装置へ送信する情報端末装置側時刻情報送信手段と、
前記データ送受信装置から送信された測定情報を前記サーバへ転送する測定情報転送手段とを備え、
前記データ送受信装置は、
前記情報端末装置側時刻情報送信手段により送信された時刻情報に該データ送受信装置の時刻を同期させるデータ送受信装置側同期手段と、
所定の情報を前記データ測定器側へ送信する情報送信手段と、
前記データ測定器から送信された測定情報に、前記データ送受信装置側同期手段により同期がとれた該データ送受信装置側の時刻情報に基づきタイム・スタンプを記録するタイム・スタンプ記録手段と、
前記タイム・スタンプ記録手段によりタイム・スタンプが記録された測定情報を前記情報端末装置へ送信するタイム・スタンプ記録済測定情報送信手段とを備え、
前記データ測定器は、前記情報送信手段により送信された所定の情報に基づき測定データに所定の演算を行って得た測定情報又は測定データに所定の演算を行って得た測定情報を前記データ送受信装置へ送信する測定情報送信手段を備えたことを特徴とする測定時間管理システム。
【手続補正２】
【補正対象書類名】特許請求の範囲
【補正対象項目名】請求項２
【補正方法】変更
【補正の内容】
【請求項２】
請求項１記載の測定時間管理システムにおいて、前記所定のインタフェースはスライドキーによりデータ送受信装置の外部に出し又はデータ送受信装置の内部に格納するＵＳＢ端子であることを特徴とする測定時間管理システム。
【手続補正３】
【補正対象書類名】特許請求の範囲
【補正対象項目名】請求項６
【補正方法】変更
【補正の内容】
【請求項６】
ネットワークを介してサーバに接続された情報端末装置と所定のインタフェースにより脱着可能に接続されたデータ送受信装置であって、
前記情報端末装置へ送信された該サーバ側の時刻情報に該データ送受信装置の時刻を同期させるデータ送受信装置側同期手段と、
前記データ送受信装置側同期手段により同期がとれた該データ送受信装置側の時刻情報を含む所定の情報を前記データ測定器側へ送信する情報送信手段と、
前記データ測定器から送信された測定情報に、前記データ送受信装置側同期手段により同期がとれた該データ送受信装置側の時刻情報に基づきタイム・スタンプを記録するタイム・スタンプ記録手段と、
前記タイム・スタンプ記録手段によりタイム・スタンプが記録された測定情報を前記情報端末装置へ送信するタイム・スタンプ記録済測定情報送信手段とを備え、
前記タイム・スタンプ記録手段における前記データ測定器から送信された測定情報は、前記データ測定器により、前記情報送信手段によって送信された所定の情報に基づき測定データに所定の演算が行なわれて得られた測定情報又は測定データに所定の演算を行って得た測定情報であることを特徴とするデータ送受信装置。
【手続補正４】
【補正対象書類名】特許請求の範囲
【補正対象項目名】請求項７
【補正方法】変更
【補正の内容】
【請求項７】
請求項６記載のデータ送受信装置において、前記所定のインタフェースはスライドキーによりデータ送受信装置の外部に出し又はデータ送受信装置の内部に格納するＵＳＢ端子であることを特徴とするデータ送受信装置。
【手続補正５】
【補正対象書類名】特許請求の範囲
【補正対象項目名】請求項１１
【補正方法】変更
【補正の内容】
【請求項１１】
ネットワークを介して接続されたサーバ及び情報端末装置と、該情報端末装置と所定のインタフェースにより脱着可能に接続されたデータ送受信装置と、該データ送受信装置と所定のワイヤレス通信方式により接続されたデータ測定器とを用いる測定時間管理方法であって、
前記サーバが、
該サーバ側の時刻情報を該情報端末装置へ送信する時刻情報送信ステップと、
前記情報端末装置が、
前記時刻情報送信ステップで送信された時刻情報を前記データ送受信装置へ送信する情報端末装置側時刻情報送信ステップと、
前記データ送受信装置が、
前記情報端末装置側時刻情報送信ステップで送信された時刻情報に該データ送受信装置の時刻を同期させるデータ送受信装置側同期ステップと、
所定の情報を前記データ測定器側へ送信する情報送信ステップと、
前記データ測定器が、
測定情報を前記データ送受信装置へ送信する測定情報送信ステップと、
前記データ送受信装置が、
前記測定情報送信ステップで送信された測定情報に、前記データ送受信装置側同期ステップで同期がとれた該データ送受信装置側の時刻情報に基づきタイム・スタンプを記録するタイム・スタンプ記録ステップと、
前記タイム・スタンプ記録ステップでタイム・スタンプが記録された測定情報を前記情報端末装置へ送信するタイム・スタンプ記録済測定情報送信ステップと、
前記情報端末装置が、
前記タイム・スタンプ記録済測定情報送信ステップで送信された測定情報を前記サーバへ転送する測定情報転送ステップとを備え、
前記測定情報送信ステップは、前記情報送信ステップで送信された所定の情報に基づき測定データに所定の演算を行った測定情報又は測定データに所定の演算を行って得た測定情報を前記データ送受信装置へ送信することを特徴とする測定時間管理方法。
【手続補正６】
【補正対象書類名】特許請求の範囲
【補正対象項目名】請求項１２
【補正方法】変更
【補正の内容】
【請求項１２】
請求項１１記載の測定時間管理方法において、前記所定のインタフェースはスライドキーによりデータ送受信装置の外部に出し又はデータ送受信装置の内部に格納するＵＳＢ端子であることを特徴とする測定時間管理方法。
【手続補正７】
【補正対象書類名】明細書
【補正対象項目名】０００６
【補正方法】変更
【補正の内容】
【０００６】
この発明の測定時間管理システムは、ネットワークを介して接続されたサーバ及び情報端末装置と、該情報端末装置と所定のインタフェースにより脱着可能に接続されたデータ送受信装置と、該データ送受信装置と所定のワイヤレス通信方式により接続されたデータ測定器とを備えた測定時間管理システムであって、前記サーバは、該サーバ側の時刻情報を該情報端末装置へ送信する時刻情報送信手段を備え、前記情報端末装置は、前記時刻情報送信手段により送信された時刻情報を前記データ送受信装置へ送信する情報端末装置側時刻情報送信手段と、前記データ送受信装置から送信された測定情報を前記サーバへ転送する測定情報転送手段とを備え、前記データ送受信装置は、前記情報端末装置側時刻情報送信手段により送信された時刻情報に該データ送受信装置の時刻を同期させるデータ送受信装置側同期手段と、所定の情報を前記データ測定器側へ送信する情報送信手段と、前記データ測定器から送信された測定情報に、前記データ送受信装置側同期手段により同期がとれた該データ送受信装置側の時刻情報に基づきタイム・スタンプを記録するタイム・スタンプ記録手段と、前記タイム・スタンプ記録手段によりタイム・スタンプが記録された測定情報を前記情報端末装置へ送信するタイム・スタンプ記録済測定情報送信手段とを備え、前記データ測定器は、前記情報送信手段により送信された所定の情報に基づき測定データに所定の演算を行って得た測定情報又は測定データに所定の演算を行って得た測定情報を前記データ送受信装置へ送信する測定情報送信手段を備えたことを特徴とする。
【手続補正８】
【補正対象書類名】明細書
【補正対象項目名】０００７
【補正方法】変更
【補正の内容】
【０００７】
ここで、この発明の測定時間管理システムにおいて、前記所定のインタフェースはスライドキーによりデータ送受信装置の外部に出し又はデータ送受信装置の内部に格納するＵＳＢ端子とすることができる。
【手続補正９】
【補正対象書類名】明細書
【補正対象項目名】００１１
【補正方法】変更
【補正の内容】
【００１１】
この発明のデータ送受信装置は、ネットワークを介してサーバに接続された情報端末装置と所定のインタフェースにより脱着可能に接続されたデータ送受信装置であって、前記情報端末装置へ送信された該サーバ側の時刻情報に該データ送受信装置の時刻を同期させるデータ送受信装置側同期手段と、前記データ送受信装置側同期手段により同期がとれた該データ送受信装置側の時刻情報を含む所定の情報を前記データ測定器側へ送信する情報送信手段と、前記データ測定器から送信された測定情報に、前記データ送受信装置側同期手段により同期がとれた該データ送受信装置側の時刻情報に基づきタイム・スタンプを記録するタイム・スタンプ記録手段と、前記タイム・スタンプ記録手段によりタイム・スタンプが記録された測定情報を前記情報端末装置へ送信するタイム・スタンプ記録済測定情報送信手段とを備え、前記タイム・スタンプ記録手段における前記データ測定器から送信された測定情報は、前記データ測定器により、前記情報送信手段によって送信された所定の情報に基づき測定データに所定の演算が行なわれて得られた測定情報又は測定データに所定の演算を行って得た測定情報であることを特徴とする。
【手続補正１０】
【補正対象書類名】明細書
【補正対象項目名】００１２
【補正方法】変更
【補正の内容】
【００１２】
ここで、この発明のデータ送受信装置において、前記所定のインタフェースはスライドキーによりデータ送受信装置の外部に出し又はデータ送受信装置の内部に格納するＵＳＢ端子とすることができる。
【手続補正１１】
【補正対象書類名】明細書
【補正対象項目名】００１６
【補正方法】変更
【補正の内容】
【００１６】
この発明の測定時間管理方法は、ネットワークを介して接続されたサーバ及び情報端末装置と、該情報端末装置と所定のインタフェースにより脱着可能に接続されたデータ送受信装置と、該データ送受信装置と所定のワイヤレス通信方式により接続されたデータ測定器とを用いる測定時間管理方法であって、前記サーバが、該サーバ側の時刻情報を該情報端末装置へ送信する時刻情報送信ステップと、前記情報端末装置が、前記時刻情報送信ステップで送信された時刻情報を前記データ送受信装置へ送信する情報端末装置側時刻情報送信ステップと、前記データ送受信装置が、前記情報端末装置側時刻情報送信ステップで送信された時刻情報に該データ送受信装置の時刻を同期させるデータ送受信装置側同期ステップと、所定の情報を前記データ測定器側へ送信する情報送信ステップと、前記データ測定器が、測定情報を前記データ送受信装置へ送信する測定情報送信ステップと、前記データ送受信装置が、前記測定情報送信ステップで送信された測定情報に、前記データ送受信装置側同期ステップで同期がとれた該データ送受信装置側の時刻情報に基づきタイム・スタンプを記録するタイム・スタンプ記録ステップと、前記タイム・スタンプ記録ステップでタイム・スタンプが記録された測定情報を前記情報端末装置へ送信するタイム・スタンプ記録済測定情報送信ステップと、前記情報端末装置が、前記タイム・スタンプ記録済測定情報送信ステップで送信された測定情報を前記サーバへ転送する測定情報転送ステップとを備え、前記測定情報送信ステップは、前記情報送信ステップで送信された所定の情報に基づき測定データに所定の演算を行った測定情報又は測定データに所定の演算を行って得た測定情報を前記データ送受信装置へ送信することを特徴とする。
【手続補正１２】
【補正対象書類名】明細書
【補正対象項目名】００１７
【補正方法】変更
【補正の内容】
【００１７】
ここで、この発明の測定時間管理方法において、前記所定のインタフェースはスライドキーによりデータ送受信装置の外部に出し又はデータ送受信装置の内部に格納するＵＳＢ端子であることを特徴とする測定時間管理方法。